(57)【要約】      （修正有）【課題】原稿画像が複数の記録媒体に形成される場合に、透かし防止画像を用いて原稿画像を秘匿しつつ、全ての記録媒体に透かし防止画像を形成する場合と比較して、トナーの消費量を抑えることができる画像形成装置を提供する。【解決手段】画像形成装置１において、制御ユニット１００のの制御部１０は、操作部１６を介して、原稿画像を複数の記録紙に形成させるための指示を受付けている場合に、画像形成部１２に、原稿画像を複数の記録紙の表面に形成させるとともに、複数の記録紙のうちから透かし防止画像を形成するための記録紙を決定し、画像形成部１２に、決定した記録紙の裏面のみに、透かし防止画像を形成する。【選択図】図２
2020198531.tif 000002
【特許請求の範囲】
【請求項１】
ユーザーから指示が入力される入力部と、
画像を記録媒体に形成する画像形成部と、
制御部と、を備え、
前記制御部は、前記入力部を介して、原稿画像を複数の前記記録媒体の第一面に形成させるための指示を受付けている場合に、前記画像形成部に、前記原稿画像を前記複数の記録媒体の前記第一面に形成させるとともに、前記複数の記録媒体のうちから、予め定められているパターンを用いて構成されている透かし防止画像を形成するための記録媒体を決定し、前記画像形成部に、決定された前記記録媒体における前記第一面とは反対の面である第二面のみに、前記透かし防止画像を形成させる、画像形成装置。
【請求項２】
複数の前記記録媒体を綴じるための紙綴じ部をさらに備え、
前記制御部は、前記入力部を介して、前記紙綴じ部によって前記複数の記録媒体を綴じるための指示をさらに受付けている場合に、前記紙綴じ部によって最後に綴じられる記録媒体を、前記透かし防止画像を形成するための記録媒体として決定する、請求項１に記載の画像形成装置。
【請求項３】
前記画像が形成された前記記録媒体が排出される排出トレイと、
前記記録媒体を前記排出トレイに排出するための排出機構と、をさらに備え、
前記制御部は、前記記録媒体を、当該記録媒体の第二面が露出されている状態で排出するための設定がなされている場合には、前記複数の記録媒体のうち最後に前記排出トレイに排出される記録媒体を、前記透かし防止画像を形成するための記録媒体として決定する、請求項１に記載の画像形成装置。
【請求項４】
前記排出機構は、前記記録媒体の排出時における位置を予め定められている単位ごとにずらして前記記録媒体を前記排出トレイに排出可能に構成されており、
前記制御部は、前記入力部を介して、前記記録媒体の排出時の位置をずらして排出するためのシフト排出指示をさらに受付けている場合に、前記予め定められている単位ごとに、当該単位において前記最後に排出される前記記録媒体を、前記透かし防止画像を形成するための記録媒体として決定し、前記画像形成部に、決定された前記記録媒体の第二面において、他の前記記録媒体と重ならない部分として予め定められている部分に、前記透かし防止画像を形成させる、請求項３に記載の画像形成装置。
【請求項５】
前記画像形成装置の周囲の照明色を検出するための検出部と、
照明色と、前記透かし防止画像を構成するためのパターンとして推奨される当該照明色についての推奨パターンと、を照明色毎に対応付けて予め記憶する記憶部と、をさらに備え、
前記制御部は、前記検出部によって検出された前記照明色に対応する前記推奨パターンを前記記憶部から読出し、読出された前記推奨パターンによって構成されている前記透かし防止画像を、決定された前記記録媒体の第二面に形成させる、請求項１乃至請求項４のいずれかに記載の画像形成装置。
【請求項６】
表示部をさらに備え、
前記制御部は、前記表示部に、読出された前記推奨パターンを表示させ、前記入力部を介して、表示されている前記推奨パターンを用いて前記透かし防止画像を構成するための指示を受付けた場合、読出された前記推奨パターンを用いて構成されている前記透かし防止画像を、決定された前記記録媒体の第二面に形成させ、前記入力部を介して、前記予め定められているパターンを用いて前記透かし防止画像を構成するための指示を受付けた場合、前記予め定められているパターンを用いて構成されている前記透かし防止画像を、決定された前記記録媒体の第二面に形成させる、請求項５に記載の画像形成装置。
【発明の詳細な説明】
【技術分野】
【０００１】
本発明は、画像形成装置に関し、特に、透かし防止画像を形成するための技術に関する。
【背景技術】
【０００２】
記録紙に印刷されている原稿画像を、当該原稿画像の印刷面の反対側から見えにくくするために、透かし防止画像を印刷する技術が知られている。
【０００３】
例えば、特許文献１には、原稿に基づいて生成された画像データにおける文字領域、画像領域、及び背景領域等を認識し、認識された各領域の種別に応じて決定された透かし見防止パターンを、表面に原稿画像が印刷された記録紙の裏面であって、認識された各領域に対応する部分に印刷させる技術が開示されている。
【０００４】
特許文献２には、原稿画像を第１の記録紙に印刷し、特許文献１と同様に決定された透かし見防止パターンを、第２の記録紙における上記認識された各領域に対応する部分に印刷し、第１の記録紙における原稿画像の印刷面と、第２の記録紙における透かし見防止パターンの印刷面とが対向するように、第１及び第２の記録紙を綴じ合わせる技術が開示されている。
【先行技術文献】
【特許文献】
【０００５】
【特許文献１】特開２００９−１０５８４３号公報
【特許文献２】特開２００９−１８２８５０号公報
【発明の概要】
【発明が解決しようとする課題】
【０００６】
原稿画像が印刷されている複数の記録紙が重ねられている場合、最後に重ねられている記録紙に印刷されている原稿画像以外は、原稿画像の印刷面の反対側からは見えにくい状態となっている。しかしながら、特許文献１及び特許文献２に開示されている技術では、原稿画像が複数の記録紙に印刷されている場合には、透かし防止画像も複数の記録紙に印刷されているため、トナーが無駄に消費されてしまうおそれがある。
【０００７】
本発明は、上記の事情に鑑みなされたものであり、原稿画像が複数の記録媒体に形成される場合に、透かし防止画像を用いて原稿画像を秘匿しつつ、全ての記録媒体に透かし防止画像を形成する場合と比較して、トナーの消費量を抑えることを目的とする。
【課題を解決するための手段】
【０００８】
本発明の一局面に係る画像形成装置は、ユーザーから指示が入力される入力部と、画像を記録媒体に形成する画像形成部と、制御部と、を備えている。制御部は、入力部を介して、原稿画像を複数の記録媒体の第一面に形成させるための指示を受付けている場合に、画像形成部に、原稿画像を複数の記録媒体の第一面に形成させるとともに、複数の記録媒体のうちから、予め定められているパターンを用いて構成されている透かし防止画像を形成するための記録媒体を決定し、画像形成部に、決定された記録媒体における第一面とは反対の面である第二面のみに、透かし防止画像を形成させる。
【発明の効果】
【０００９】
本発明によれば、複数の記録媒体のうちから決定された記録媒体のみに透かし防止画像が形成されるので、原稿画像が複数の記録媒体に形成される場合に、透かし防止画像を用いて原稿画像を秘匿しつつ、全ての記録媒体に透かし防止画像を形成する場合と比較して、トナーの消費量を抑えることができる。
【図面の簡単な説明】
【００１０】
【図１】本発明の一実施形態に係る画像形成装置の構造を示す正面断面図である。
【図２】画像形成装置の内部構成を示すブロック図である。
【図３】推奨パターン情報の一例を示す図である。
【図４Ａ】画像形成処理を示すフローチャートである。
【図４Ｂ】画像形成処理を示すフローチャートである。
【図５】推奨画面の一例を示す図である。
【図６】推奨画面の他の一例を示す図である。
【図７】透かし防止画像の印刷範囲として予め定められている部分の一例を示す図である。
【発明を実施するための形態】
【００１１】
以下、本発明の一実施形態に係る画像形成装置について図面を参照して説明する。図１は、本発明の一実施形態に係る画像形成装置の構造を示す正面断面図である。図２は、画像形成装置の内部構成を示すブロック図である。
【００１２】
図１を参照して、画像形成装置１は、装置本体２と、後処理装置３と、を備えている。以下、装置本体２の構成、及び後処理装置３の構成について説明する。
【００１３】
［装置本体２の構成］
装置本体２は、ファクシミリ機能、コピー機能、プリンター機能、及びスキャナー機能等の複数の機能を有している。装置本体２は、画像読取部１１、画像形成部１２、定着部１３、給紙部１４、表示部１５、操作部１６、検出部１７等を備えている。
【００１４】
画像読取部１１は、原稿台４Ａに載置されている原稿を搬送する原稿搬送部４と、原稿搬送部４により搬送されてくる原稿又はプラテンガラスに載置されている原稿を光学的に読取るスキャナーと、を含むＡＤＦ（Auto Document Feeder）である。画像読取部１１は、光照射部により原稿を照射し、その反射光をＣＣＤ（Charge-Coupled Device）センサーで受光することによって、原稿画像を読取って画像データを生成する。
【００１５】
画像形成部１２は、感光体ドラム、帯電装置、露光装置、現像装置、及び転写装置を含んでいる。画像形成部１２は、画像読取部１１によって生成された画像データ等に基づいて、給紙部１４から搬送されてくる記録紙Ｐに、トナー像によって構成されている画像を形成する。
【００１６】
定着部１３は、画像形成部１２によってトナー像が形成された記録紙Ｐを加熱及び加圧することによってトナー像を記録紙に定着させる。定着部１３によってトナー像が定着された記録紙Ｐは、第１排出トレイ７に排出されるか、又は、後処理装置３に向けて搬送される。
【００１７】
給紙部１４は、手差しトレイ１４１と、給紙カセット１４２Ａ乃至１４２Ｃと、を備えている。給紙部１４は、給紙カセット１４２Ａ乃至１４２Ｃのいずれかに収容されている記録紙Ｐ、又は手差しトレイ１４１に載置されている記録紙Ｐを一枚ずつ引出して、画像形成部１２に向けて給紙する。
【００１８】
表示部１５は、液晶ディスプレイ等によって構成されている表示装置である。表示部１５は、画像形成装置１によって実行可能な各種機能に関する各種の画面を表示する。
【００１９】
操作部１６は、各種機能の実行の開始を指示するためのスタートキー１６Ａ等の複数のハードキーを含んでいる。操作部１６はまた、表示部１５に重ねて配置されているタッチパネル１６Ｂを含んでいる。ユーザーは、操作部１６を介して、画像形成装置１によって実行可能な各種機能についての指示等の各種の情報を入力する。操作部１６は、特許請求の範囲における入力部の一例である。
【００２０】
検出部１７は、画像形成装置１の周囲の照明色を検出する。検出部１７としては、特に限定されないが、ここでは、検出部１７として、照明色を相関色温度として検出する色彩照度計を用いるものとする。
【００２１】
図２を参照して、装置本体２は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。
【００２２】
制御ユニット１００は、内蔵するＲＯＭ又はＨＤＤ（Hard Disk Drive）１８に記憶されている制御プログラムが上記のプロセッサーによって実行されることにより、制御部１０として機能する。なお、制御部１０は、上記制御プログラムに基づく動作によらず、ハード回路により構成されてもよい。
【００２３】
制御ユニット１００は、後処理装置３、原稿搬送部４、画像読取部１１、画像形成部１２、定着部１３、給紙部１４、表示部１５、操作部１６、検出部１７、ＨＤＤ１８、第１搬送機構１９、画像処理部２０、画像メモリー２１、ファクシミリ通信部２２、及び通信部２３等と電気的に接続されている。
【００２４】
第１搬送機構１９は、搬送ローラー対１９１，１９２等、及び排出ローラー対１９３等から構成されている。第１搬送機構１９は、排出先として第１排出トレイ７が設定されている場合には、制御部１０による制御にしたがって、記録紙Ｐを搬送路１９０に沿って第１排出トレイ７に向けて搬送し、記録紙Ｐを第１排出トレイ７に排出する。第１搬送機構１９は、後処理装置３による後処理を実行するための設定がなされている場合には、制御部１０による制御にしたがって、記録紙Ｐを搬送路１９０に沿って搬送した後、後処理装置３に向けて送り出す。
【００２５】
制御部１０は、画像形成装置１の全体制御を司る。より詳細には、制御部１０は、画像形成装置１の各部の動作、並びに、ネットワーク回線５を介して接続されているパーソナルコンピューター等の情報処理装置６との通信等の処理を実行する。
【００２６】
ＨＤＤ１８は、画像読取部１１によって生成された画像データ等の各種データを記憶する大容量の記憶装置である。ＨＤＤ１８は、画像形成装置１の一般的な動作を実現するための各種制御プログラムを記憶している。ＨＤＤ１８は、各種制御プログラムの１つとして、本発明の一実施形態に係る画像形成処理を実行するための制御プログラムを記憶している。ＨＤＤ１８は、特許請求の範囲における記憶部の一例である。
【００２７】
ＨＤＤ１８は、色温度の値と、照明色とを対応付けて、照明色情報として予め記憶している。ここでは、ＨＤＤ１８は、「５７００(K)以上７１００(K)以下」の色温度の値と、「昼光色」とを対応付けて記憶しているものとする。ＨＤＤ１８は、「４６００(K)以上５５００(K)以下」の色温度の値と、「昼白色」とを対応付けて記憶しているものとする。ＨＤＤ１８は、「２６００(K)以上３２５０(K)以下」の色温度の値と、「電球色」とを対応付けて記憶しているものとする。
【００２８】
ＨＤＤ１８は、照明色と、透かし防止画像を構成するパターンとして推奨される当該照明色についての推奨パターンと、を照明色毎に対応付けて、推奨パターン情報として予め記憶している。図３は、推奨パターン情報の一例を示す図である。図３を参照して、ＨＤＤ１８は、「昼光色」と、第１パターン３２とを対応付けて記憶している。ＨＤＤ１８は、「昼白色」と、第２パターン３４とを対応付けて記憶している。ＨＤＤ１８は、「電球色」と、第３パターン３６とを対応付けて記憶している。
【００２９】
昼光色の照明下では、記録紙Ｐの表面に形成されている原稿画像は、記録紙Ｐの裏側から最も透けて見えやすくなる。したがって、第１パターン３２には、原稿画像が最も透けにくくなるように、トナー消費量が最も多くなる画像が選択されている。第１パターン３２は、特に限定されないが、ここでは、第１パターン３２として、単色で塗りつぶされている画像を用いるものとする。
【００３０】
昼白色の照明下では、記録紙Ｐの表面に形成されている原稿画像は、記録紙Ｐの裏側から２番目に透けて見えやすくなる。したがって、第２パターン３４には、原稿画像が２番目に透けにくくなるように、トナー消費量が２番目に多くなる画像が選択されている。第２パターン３４は、特に限定されないが、ここでは、第２パターン３４として、予め定められている第１方向に沿って伸びている複数の線を含んでいる画像を用いるものとする。第２パターン３４における当該複数の線は、第一方向に対して直交する第２方向に沿って等間隔に並ぶように配置されているものとする。
【００３１】
電球色の照明下では、記録紙Ｐの表面に形成されている原稿画像は、記録紙Ｐの裏側から最も透けて見えにくくなる。したがって、第３パターン３６には、原稿画像が３番目に透けにくくなるように、トナー消費量が最も少なくなる画像が選択されている。第３パターン３６は、特に限定されないが、ここでは、第３パターン３６として、第１方向及び第２方向に沿って等間隔に配置されている複数のドットを含んでいる画像を用いるものとする。
【００３２】
画像処理部２０は、画像読取部１１によって生成された画像データに対して、必要に応じて画像処理を実行する。
【００３３】
画像メモリー２１は、画像読取部１１によって生成された画像形成対象の画像データを一時的に記憶する領域を含む。
【００３４】
ファクシミリ通信部２２は、公衆回線への接続を行ない、公衆回線を介して画像データの送受信を行なう。
【００３５】
通信部２３は、ＬＡＮ(Local Area Network)ボード等の通信モジュールを含んでいる。装置本体２は、通信部２３を介して、ネットワークを介して接続されているパーソナルコンピューター等の情報処理装置２４とデータ通信を行なう。
【００３６】
装置本体２の各部には図示しない電源が接続されており、この電源から電力が供給されることによって、装置本体２及び後処理装置３の各部が動作する。
【００３７】
［後処理装置３の構成］
後処理装置３は、装置本体２に対して着脱可能に構成されているオプション装置である。後処理装置３は、記録紙Ｐを搬送するための第２搬送機構と、記録紙Ｐにパンチ穴を形成する穴形成装置３１０と、複数の記録紙Ｐを綴じるための紙綴じ部３２０と、記録紙Ｐを折り曲げる紙折り処理を施す紙折り装置３３０と、を備えている。後処理装置３の各部は、装置本体２の制御部１０による制御の元で動作する。
【００３８】
第２搬送機構は、搬送ローラー対３０３，３０５等、排出ローラー対３０４等から構成されている。第２搬送機構は、排出先として設定されている第２排出トレイ３０６又は第３排出トレイ３１１に向けて、記録紙Ｐを搬送路３０１に沿って搬送する。
【００３９】
後処理として穴形成処理を実行するための設定がなされている場合、穴形成装置３１０は、搬送路３０１内を搬送されてくる記録紙Ｐの予め定められている位置にパンチ穴を形成する。後処理として穴形成処理のみを実行するための設定がなされている場合、第２搬送機構は、パンチ穴が形成された記録紙Ｐを、第２排出トレイ３０６に向けて搬送し、記録紙Ｐを第２排出トレイ３０６に排出する。
【００４０】
後処理として紙綴じ処理及び紙折り処理のうちの少なくともいずれか一方を実行するための設定がなされている場合、第２搬送機構は、パンチ穴が形成された記録紙Ｐ、又は、パンチ穴が形成されることなく穴形成装置３１０を通過した記録紙Ｐを、処理トレイ３０７に向けて搬送する。後処理として紙綴じ処理を実行するための設定がなされている場合、処理トレイ３０７に向けて搬送された複数の記録紙Ｐは、先端が揃えられている状態で処理トレイ３０７に一時的に蓄積される。
【００４１】
紙綴じ部３２０は、処理トレイ３０７に積載されている複数の記録紙Ｐの端部を綴じる端部紙綴じ処理、又は、複数の記録紙Ｐの中央部を綴じる中央部紙綴じ処理を実行する。紙綴じ部３２０としては、特に限定されないが、例えば、ステープラーである。後処理として紙折り処理を実行するための設定がなされていない場合、第２搬送機構は、紙綴じ処理が実行された記録紙Ｐの束を、第２排出トレイ３０６に向けて搬送し、記録紙Ｐの束を第２排出トレイ３０６に排出する。
【００４２】
後処理として紙折り処理を実行するための設定がなされている場合、第２搬送機構は、紙綴じ処理が実行された記録紙Ｐの束、又は、紙綴じ処理が実行されることなく紙綴じ部３２０を通過した記録紙Ｐを、紙折り装置３３０に向けて搬送する。紙折り装置３３０は、第２搬送機構によって搬送されてくる記録紙Ｐの束又は記録紙Ｐを折り曲げる。第２搬送機構は、紙折り処理が実行された記録紙Ｐの束又は記録紙Ｐを、第３排出トレイ３１１に排出する。
【００４３】
［動作］
以下、本実施形態に係る画像形成装置１の動作について説明する。図４Ａ及び図４Ｂは、画像形成処理を示すフローチャートである。以下、画像形成装置１は、電源が投入されている状態であるものとする。ユーザーは、タッチパネル１６Ｂを介して、コピー機能を実行するための指示を入力したものとする。タッチパネル１６Ｂを介して上記指示を受付けると、制御部１０は、表示部１５に、コピー機能に関する各種設定を行なうための設定画面を表示させる。
【００４４】
（１）透かし防止処理を実行する場合
（１−１）端部紙綴じ処理を実行する場合
ユーザーは、設定画面を確認し、操作部１６を介して、コピー機能に関する各種設定内容を入力する。この場合、ユーザーは、記録紙Ｐの給紙元を給紙カセット１４２Ａに設定するとともに、印刷部数を１０部に設定したものとする。ユーザーはまた、記録紙Ｐの裏面に透かし防止画像を形成するための透かし防止処理、及び端部紙綴じ処理を実行するための設定を行なったものとする。ユーザーはさらに、記録紙Ｐを、当該記録紙Ｐの裏面が露出されている状態で排出するための設定（以下「フェイスダウン設定」と記す。）を行なったものとする。
【００４５】
このとき、端部紙綴じ処理を実行するための設定がなされているので、制御部１０は、記録紙Ｐの排出先を第２排出トレイ３０６に設定する。制御部１０はまた、透かし防止画像を形成するための頁（以下、「印刷頁」と記す。）、及び透かし防止画像を形成するための範囲（以下、「印刷範囲」と記す。）を標準設定として予め定められている「全頁」及び「全面」に設定するとともに、透かし防止画像を構成するためのパターンを標準パターンとして予め定められている「第２パターン３４」に設定する。制御部１０は、上記設定内容を、ＨＤＤ１８に記憶させる。
【００４６】
上記各種設定の入力後、ユーザーは、給紙カセット１４２Ａに複数の記録紙Ｐを載置し、さらに原稿搬送部４の原稿台４Ａに、複数枚の原稿を載置する。記録紙Ｐ及び原稿の載置後、ユーザーは、コピーを開始するために、スタートキー１６Ａを押下したものとする。スタートキー１６Ａの押下を検知すると、制御部１０は、画像形成処理の実行を開始する。
【００４７】
図４Ａを参照して、画像形成処理において、制御部１０は、画像読取部１１に、原稿搬送部４によって順次搬送されてくる複数枚の原稿の画像を読取らせて、複数頁によって構成されている画像データを生成させる（ステップＳ１１）。画像データの生成後、制御部１０は、ＨＤＤ１８に記憶されている設定内容に基づいて、透かし防止処理を実行するための指示を受付けていると判定するとともに（ステップ１２にてＹＥＳ）、端部紙綴じ処理を実行するための指示を受付けていると判定し（ステップ１３にてＹＥＳ）、透かし防止画像の印刷頁を、紙綴じ部３２０によって最後に綴じられる記録紙Ｐを示す「最終頁」に決定して、ＨＤＤ１８に記憶されている印刷頁についての設定内容を「全頁」から「最終頁のみ」に変更する（ステップＳ１４）。
【００４８】
設定内容の変更後、制御部１０は、検出部１７から出力されてくる色温度の値と、ＨＤＤ１８に記憶されている照明色情報とに基づいて、画像形成装置１の周囲の照明色を決定する（ステップＳ１５）。このとき、画像形成装置１の上方には、昼光色の蛍光灯が点灯しているものとする。検出部１７から出力されてくる色温度の値は、例えば「６０００(K)」であり、制御部１０は、ステップＳ１５において、照明色を「昼光色」に決定する。
【００４９】
図４Ｂを参照して、照明色の決定後、制御部１０は、ＨＤＤ１８に記憶されている推奨パターン情報から、決定された照明色である「昼光色」に対応付けられている推奨パターンとして、第１パターン３２を読出す（ステップＳ１６）。推奨パターンの読出し後、制御部１０は、推奨パターンとして読出された第１パターン３２が、ＨＤＤ１８に設定内容として記憶されている標準パターンと一致していないと判定して（ステップＳ１７にてＮＯ）、表示部１５に、推奨パターンを示すための推奨画面を表示させる（ステップＳ１８）。
【００５０】
図５は、推奨画面の一例を示す図である。図５を参照して、ステップＳ１８において、制御部１０は、「現在の照明下では、印刷内容が透けやすくなります。以下に示すパターンの使用を推奨します。」というメッセージ５２と、推奨パターンとして読出された第１パターン３２と、推奨パターンの使用を指示するためのソフトキー５４と、標準パターンの使用を指示するためのソフトキー５６と、を含んでいる推奨画面５０を生成して、表示部１５に表示させる。推奨画面５０の表示後、制御部１０は、タッチパネル１６Ｂを介して、キー５４又はキー５６に対するタッチ操作を受付けるまで待機する（ステップＳ１９にてＮＯ、ステップＳ２０にてＮＯ）。
【００５１】
なお、例えば、画像形成装置１の上方において、電球色の蛍光灯が点灯しており、検出部１７から出力されてくる色温度の値が、例えば「３０００(K)」である場合、制御部１０は、照明色を「電球色」に決定し（ステップＳ１５）、「電球色」に対応する推奨パターンとして、第３パターン３６を読出す（ステップＳ１６）。制御部１０はさらに、読出された第３パターン３６が、ＨＤＤ１８に設定内容として記憶されている標準パターンと一致していないと判定し（ステップＳ１７にてＮＯ）、表示部１５に、推奨画面を表示させる（ステップＳ１８）。
【００５２】
図６は、推奨画面の他の一例を示す図である。図６を参照して、ステップＳ１８において、制御部１０は、「現在の照明下では、印刷内容が透けにくくなります。以下に示すパターンの使用を推奨します。」というメッセージ６２と、推奨パターンとして読出された第３パターン３６と、推奨パターンの使用を指示するためのソフトキー６４と、標準パターンの使用を指示するためのソフトキー６６と、を含んでいる推奨画面６０を生成して、表示部１５に表示させる。推奨画面６０の表示後、制御部１０は、タッチパネル１６Ｂを介して、キー６４又はキー６６に対するタッチ操作を受付けるまで待機する（ステップＳ１９にてＮＯ、ステップＳ２０にてＮＯ）。
【００５３】
以下、表示部１５に推奨画面５０が表示されている場合の動作について説明するが、表示部１５に推奨画面６０が表示されている場合の動作は、推奨パターンが第３パターン３６である点を除き、以下に説明する動作と同じである。
【００５４】
（１−１−１）推奨パターンを使用する場合
ユーザーは、推奨画面５０を確認して、キー５４をタッチしたものとする。制御部１０は、タッチパネル１６Ｂを介してキー５４に対するタッチ操作を受付けることによって、推奨パターンを使用するための指示を受付けると（ステップＳ１９にてＹＥＳ）、ＨＤＤ１８に記憶されている、透かし防止画像を構成するためのパターンについての設定内容を「第２パターン３４」から推奨パターンである「第１パターン３２」に変更する（ステップＳ２１）。
【００５５】
設定内容の変更後、制御部１０は、以下のようにして、ＨＤＤ１８に記憶されている設定内容にしたがって、画像形成部１２等に、原稿画像及び透かし防止画像を記録紙Ｐに形成させる（ステップＳ２２）。具体的には、制御部１０は、画像形成部１２等に、給紙部１４によって給紙カセット１４２Ａから一枚ずつ給紙されてくる記録紙Ｐのそれぞれの表面に、画像読取部１１によって生成された画像データに基づいて、原稿画像を頁順に順次形成させるとともに、最終頁の原稿画像が形成されている記録紙Ｐの裏面全面に、第１パターン３２を用いて構成されている透かし防止画像を形成させる。
【００５６】
画像が形成された第一頁から最終頁までの複数の記録紙Ｐは、第１搬送機構１９によって後処理装置３に向けて送り出され、第２搬送機構によって、処理トレイ３０７に向けて搬送される。処理トレイ３０７に向けて搬送された複数の記録紙Ｐは、先端が揃えられている状態で、処理トレイ３０７に一時的に蓄積される。制御部１０は、紙綴じ部３２０に、処理トレイ３０７に積載されている複数の記録紙Ｐの端部を綴じさせる。このとき、透かし防止画像が形成されている記録紙Ｐは、紙綴じ部３２０によって最後に綴じられた記録紙Ｐとなる。
【００５７】
端部紙綴じ処理が実行された記録紙Ｐの束は、第２搬送機構によって第２排出トレイ３０６に向けて搬送され、最後に綴じられている記録紙Ｐの裏面が露出されている状態で、第２排出トレイ３０６に排出される。制御部１０は、上記した動作をさらに９回繰返して実行することによって、第１部目から第１０部目までの印刷物を生成する。
【００５８】
（１−１−２）標準パターンを使用する場合
ユーザーは、推奨画面５０を確認して、キー５６をタッチしたものとする。制御部１０は、タッチパネル１６Ｂを介してキー５６に対するタッチ操作を受付けることによって、標準パターンを使用するための指示を受付けると（ステップＳ２０にてＹＥＳ）、ステップＳ２１の処理を実行することなく、以下のようにして、ステップＳ２２の処理を実行する。
【００５９】
具体的には、制御部１０は、画像形成部１２等に、給紙部１４によって給紙カセット１４２Ａから一枚ずつ給紙されてくる記録紙Ｐのそれぞれの表面に原稿画像を頁順に順次形成させるとともに、最終頁の原稿画像が形成されている記録紙Ｐの裏面全面に、第２パターン３４を用いて構成されている透かし防止画像を形成させる。画像が形成された第一頁から最終頁までの複数の記録紙Ｐは、上記と同様にして、紙綴じ部３２０によって端部紙綴じ処理が実行された後、第２搬送機構によって、記録紙Ｐの束として第２排出トレイ３０６に排出される。制御部１０は、上記した動作をさらに９回繰返して実行することによって、第１部目から第１０部目までの印刷物を生成する。
【００６０】
（１−２）シフト排出処理を実行する場合
ユーザーは、設定画面を確認し、操作部１６を介して、コピー機能に関する各種設定内容を入力する。この場合、ユーザーは、記録紙Ｐの給紙元を給紙カセット１４２Ａ及び給紙カセット１４２Ｂに設定するとともに、印刷部数を１０部に設定したものとする。ユーザーはまた、透かし防止処理及びシフト排出処理を実行するための設定を行なったものとする。ここで、シフト排出処理とは、記録紙Ｐにおける長手方向の向きを部数ごとに９０度変更することによって記録紙Ｐの排出時における位置を部数ごとにずらして、記録紙Ｐを第１排出トレイ７に排出するための処理を示す。ユーザーはさらに、フェイスダウン設定を行なったものとする。
【００６１】
このとき、後処理装置３による後処理を実行するための設定がなされていないので、制御部１０は、記録紙Ｐの排出先を第１排出トレイ７に設定する。制御部１０はまた、透かし防止画像の印刷頁及び印刷範囲を上記した標準設定の内容に設定するとともに、透かし防止画像を構成するためのパターンを上記した標準パターンに設定する。制御部１０は、上記設定内容を、ＨＤＤ１８に記憶させる。
【００６２】
上記各種設定の入力後、ユーザーは、給紙カセット１４２Ａ及び給紙カセット１４２Ｂのそれぞれに、複数の記録紙Ｐを載置する。このとき、給紙カセット１４２Ａ及び給紙カセット１４２Ｂには、給紙カセット１４２Ａに載置されている複数の記録紙Ｐの長手方向と、給紙カセット１４２Ｂに載置されている複数の記録紙Ｐの長手方向とが直交するように、複数の記録紙Ｐが載置されているものとする。ユーザーはさらに、原稿搬送部４の原稿台４Ａに複数枚の原稿を載置して、スタートキー１６Ａを押下したものとする。
【００６３】
再び図４Ａを参照して、スタートキー１６Ａの押下を検知すると、制御部１０は、上記と同様にしてステップＳ１１の処理を実行する。ステップＳ１１の処理の実行後、制御部１０は、ＨＤＤ１８に記憶されている設定内容に基づいて、透かし防止処理を実行するための指示を受付けていると判定するとともに（ステップ１２にてＹＥＳ）、端部紙綴じ処理を実行するための指示を受付けていないと判定する（ステップＳ１３にてＮＯ）。
【００６４】
制御部１０はさらに、シフト排出処理を実行するためのシフト排出指示を受付けていると判定して（ステップＳ２３にてＹＥＳ）、透かし防止画像の印刷頁を、各部について最後に第１排出トレイ７に排出される記録紙Ｐを示す「最終頁」に決定して、ＨＤＤ１８に記憶されている印刷頁についての設定内容を「全頁」から「最終頁のみ」に変更するとともに、透かし防止画像の印刷範囲を「予め定められている部分」に決定して、ＨＤＤ１８に記憶されている印刷範囲についての設定内容を「全面」から「予め定められている部分」に変更する（ステップＳ２４）。
【００６５】
図７は、透かし防止画像の印刷範囲として予め定められている部分の一例を示す図である。図７（Ａ）を参照して、印刷部数が奇数の印刷物は、記録紙Ｐの短手方向の向きが排出方向Ｄと同じになるように、第１排出トレイ７に排出される。印刷部数が奇数の印刷物については、最後に排出される記録紙Ｐの裏面において、直後に排出される偶数部の印刷物に含まれている記録紙と重ならない部分である、記録紙Ｐの長手方向両端部分７２Ａ，７２Ｂが、透かし防止画像の印刷範囲として予め定められている。
【００６６】
図７（Ｂ）を参照して、印刷部数が偶数の印刷物は、記録紙Ｐの長手方向の向きが排出方向Ｄと同じになるように、第１排出トレイ７に排出される。印刷部数が偶数の印刷物については、最後に排出される記録紙Ｐの裏面において、直後に排出される奇数部の印刷物に含まれている記録紙と重ならない部分である、記録紙Ｐの長手方向一端部分７４が、透かし防止画像の印刷範囲として予め定められている。図７（Ｃ）を参照して、最終部の印刷物は、印刷部数が奇数であるか偶数であるかにかかわりなく、最後に排出される記録紙Ｐの全面７６が、透かし防止画像の印刷範囲として予め定められている。
【００６７】
設定内容の変更後、制御部１０は、上記と同様にしてステップＳ１５の処理を実行する。このとき、画像形成装置１の上方には、昼白色の蛍光灯が点灯しているものとする。検出部１７から出力されてくる色温度の値は、例えば「５０００(K)」であり、制御部１０は、ステップＳ１５において、照明色を「昼白色」に決定する。
【００６８】
再び図４Ｂを参照して、照明色の決定後、制御部１０は、ＨＤＤ１８に記憶されている推奨パターン情報から、「昼白色」に対応付けられている推奨パターンとして、第２パターン３４を読出す（ステップＳ１６）。推奨パターンの読出し後、制御部１０は、読出された第２パターン３４が、ＨＤＤ１８に設定内容として記憶されている標準パターンと一致していると判定し（ステップＳ１７にてＹＥＳ）、ステップＳ１８からステップＳ２１までの処理を実行することなく、以下のようにして、ステップＳ２２の処理を実行する。
【００６９】
具体的には、制御部１０は、画像形成部１２等に、給紙部１４によって給紙カセット１４２Ａから一枚ずつ給紙されてくる記録紙Ｐのそれぞれの表面に原稿画像を頁順に順次形成させるとともに、最終頁の原稿画像が形成されている記録紙Ｐの裏面における予め定められている部分７２Ａ，７２Ｂに、第２パターン３４を用いて構成されている透かし防止画像を形成させる。画像が形成された第一頁から最終頁までの複数の記録紙Ｐは、第１搬送機構１９によって、第１排出トレイ７に向けて搬送され、最終頁の原稿画像が形成されている記録紙Ｐの裏面が露出されている状態で、第１部目の印刷物として第１排出トレイ７に排出される。
【００７０】
制御部１０は次いで、記録紙Ｐの給紙元を給紙カセット１４２Ａから給紙カセット１４２Ｂに変更し、画像形成部１２等に、給紙部１４によって給紙カセット１４２Ｂから一枚ずつ給紙されてくる記録紙Ｐのそれぞれの表面に原稿画像を頁順に順次形成させるとともに、最終頁の原稿画像が形成されている記録紙Ｐの裏面における予め定められている部分７４に、第２パターン３４を用いて構成されている透かし防止画像を形成させる。画像が形成された第一頁から最終頁までの複数の記録紙Ｐは、第１搬送機構１９によって、第１排出トレイ７に向けて搬送され、最終頁の原稿画像が形成されている記録紙Ｐの裏面が露出されている状態で、第２部目の印刷物として第１排出トレイ７に排出される。
【００７１】
このとき、第２部目の印刷物は、第２部目の印刷物に含まれている記録紙Ｐにおける長手方向の向きが、第１部目の印刷物に含まれている記録紙Ｐにおける長手方向の向きに対して直交する状態で、第１部目の印刷物に重なるように排出される。制御部１０はさらに、上記した第１部目の印刷物を生成する動作と、上記した第２部目の印刷物を生成する動作とを交互に繰返して実行して、第１部目から第９部目までの印刷物を生成する。
【００７２】
第９部目の印刷物の生成後、制御部１０は、記録紙Ｐの給紙元を給紙カセット１４２Ａから給紙カセット１４２Ｂに変更し、画像形成部１２等に、給紙部１４によって給紙カセット１４２Ｂから一枚ずつ給紙されてくる記録紙Ｐのそれぞれの表面に原稿画像を頁順に順次形成させるとともに、最終頁の原稿画像が形成されている記録紙Ｐの裏面全面に、第２パターン３４を用いて構成されている透かし防止画像を形成させる。画像が形成された第一頁から最終頁までの複数の記録紙Ｐは、第１搬送機構１９によって、第１排出トレイ７に向けて搬送され、最終頁の原稿画像が形成されている記録紙Ｐの裏面が露出されている状態で、第１０部目の印刷物として第１排出トレイ７に排出される。
【００７３】
上記したように、制御部１０は、給紙部１４に、異なる向きで記録紙Ｐがそれぞれ収容されている給紙カセット１４２Ａ及び給紙カセット１４２Ｂから部数ごとに記録紙Ｐを交互に給紙させるとともに、第１搬送機構１９に、画像が形成された記録紙Ｐを、第１排出トレイ７に向けて搬送させて第１排出トレイ７に排出させることによって、シフト排出処理を実行する。なお、給紙部１４及び第１搬送機構１９は、特許請求の範囲における排出機構の一例である。
【００７４】
（１−３）端部紙綴じ処理及びシフト排出処理を実行しない場合
ユーザーは、設定画面を確認し、操作部１６を介して、コピー機能に関する各種設定内容を入力する。この場合、ユーザーは、記録紙Ｐの給紙元を給紙カセット１４２Ａに設定するとともに、印刷部数を１部に設定したものとする。ユーザーはまた、透かし防止処理を実行するための設定を行なったものとする。ユーザーはさらに、フェイスダウン設定を行なったものとする。ユーザーは、後処理及びシフト排出処理を実行するための設定は行なわなかったものとする。
【００７５】
このとき、後処理を実行するための設定がなされていないので、制御部１０は、記録紙Ｐの排出先を第１排出トレイ７に設定する。制御部１０はまた、透かし防止画像の印刷頁及び印刷範囲を上記した標準設定の内容に設定するとともに、透かし防止画像を構成するためのパターンを上記した標準パターンに設定する。制御部１０は、上記設定内容を、ＨＤＤ１８に記憶させる。
【００７６】
上記各種設定の入力後、ユーザーは、給紙カセット１４２Ａに、複数の記録紙Ｐを載置するとともに、原稿搬送部４の原稿台４Ａに複数枚の原稿を載置する。記録紙Ｐ及び原稿の載置後、ユーザーは、スタートキー１６Ａを押下したものとする。再び図４Ａを参照して、スタートキー１６Ａの押下を検知すると、制御部１０は、上記と同様にしてステップＳ１１の処理を実行する。ステップＳ１１の処理の実行後、制御部１０は、ＨＤＤ１８に記憶されている設定内容に基づいて、透かし防止処理を実行するための指示を受付けていると判定するとともに（ステップ１２にてＹＥＳ）、端部紙綴じ処理を実行するための指示を受付けていないと判定する（ステップＳ１３にてＮＯ）。
【００７７】
制御部１０はさらに、シフト排出指示を受付けていないと判定して（ステップＳ２３にてＮＯ）、以下のようにして、ステップＳ２２の処理を実行する。具体的には、制御部１０は、画像形成部１２等に、給紙部１４によって給紙カセット１４２Ａから一枚ずつ給紙されてくる記録紙Ｐのそれぞれの表面に原稿画像を頁順に順次形成させるとともに、原稿画像が形成されている全頁の記録紙Ｐの裏面全面に、第２パターン３４を用いて構成されている透かし防止画像を形成させる。画像が形成された第一頁から最終頁までの複数の記録紙Ｐは、第１搬送機構１９によって、第１排出トレイ７に向けて搬送され、最後に排出される記録紙Ｐの裏面が露出されている状態で、第１部目の印刷物として第１排出トレイ７に排出される。
【００７８】
（２）透かし防止処理を実行しない場合
ユーザーは、設定画面を確認し、操作部１６を介して、コピー機能に関する各種設定内容を入力する。この場合、ユーザーは、記録紙Ｐの給紙元を給紙カセット１４２Ｃに設定するとともに、印刷部数を１部に設定したものとする。ユーザーはまた、フェイスダウン設定を行なったものとする。ユーザーは、透かし防止処理、後処理、及びシフト排出処理を実行するための設定は行なわなかったものとする。
【００７９】
このとき、後処理を実行するための設定がなされていないので、制御部１０は、記録紙Ｐの排出先を第１排出トレイ７に設定する。制御部１０は、透かし防止処理を実行するための設定がなされていないので、透かし防止画像の印刷頁及び印刷範囲、並びに透かし防止画像を構成するためのパターンの設定を行なわない。制御部１０は、上記設定内容を、ＨＤＤ１８に記憶させる。
【００８０】
上記各種設定の入力後、ユーザーは、給紙カセット１４２Ｃに複数の記録紙Ｐを載置し、さらに原稿搬送部４の原稿台４Ａに複数枚の原稿を載置する。記録紙Ｐ及び原稿の載置後、ユーザーは、スタートキー１６Ａを押下したものとする。再び図４Ａを参照して、スタートキー１６Ａの押下を検知すると、制御部１０は、上記と同様にしてステップＳ１１の処理を実行する。ステップＳ１１の処理の実行後、制御部１０は、ＨＤＤ１８に記憶されている設定内容に基づいて、透かし防止処理を実行するための指示を受付けていないと判定し（ステップ１２にてＮＯ）、以下のようにして、ステップＳ２２の処理を実行する。
【００８１】
具体的には、制御部１０は、画像形成部１２等に、給紙部１４によって給紙カセット１４２Ｃから一枚ずつ給紙されてくる記録紙Ｐのそれぞれの表面に原稿画像を頁順に順次形成させ、透かし防止画像の形成は行なわない。画像が形成された第一頁から最終頁までの複数の記録紙Ｐは、第１搬送機構１９によって、第１排出トレイ７に向けて搬送され、最後に排出される記録紙Ｐの裏面が露出されている状態で、第１部目の印刷物として第１排出トレイ７に排出される。
【００８２】
上記実施の形態によれば、制御部１０は、操作部１６を介して、原稿画像を複数の記録紙Ｐの表面に形成させるための指示を受付けている場合に、画像形成部１２等に、原稿画像を複数の記録紙Ｐの表面に形成させるとともに、複数の記録紙Ｐのうちから透かし防止画像を形成するための記録紙Ｐを決定し、画像形成部１２等に、決定された記録紙Ｐの裏面のみに、透かし防止画像を形成させる。
【００８３】
このように、複数の記録紙Ｐのうちから決定された記録紙Ｐのみに透かし防止画像が形成されるので、原稿画像が複数の記録紙Ｐに形成される場合に、透かし防止画像を用いて原稿画像を秘匿しつつ、全ての記録紙Ｐに透かし防止画像を形成する場合と比較して、トナーの消費量を抑えることができる。なお、「表面」は、特許請求の範囲における「第一面」に対応し、「裏面」は、特許請求の範囲における「第二面」に対応している。
【００８４】
また上記実施の形態によれば、制御部１０は、操作部１６を介して、端部紙綴じ処理を実行するための指示をさらに受付けている場合に、紙綴じ部３２０によって最後に綴じられる記録紙Ｐを、透かし防止画像を形成するための記録紙Ｐとして決定する。これによって、原稿画像が印刷されている複数の記録紙Ｐが綴じられている場合には、例えば、綴じられている状態の記録紙Ｐの束を、原稿画像の印刷面をユーザー側に向けて持ち運んでいる場合等に、印刷面の反対側から原稿画像が見えやすい状態となっている記録紙Ｐのみに透かし防止画像が形成されるので、原稿画像を透かし防止画像を用いて確実に秘匿しつつ、トナーの消費量を抑えることができる。
【００８５】
また上記実施の形態によれば、制御部１０は、記録紙Ｐを、当該記録紙Ｐの裏面が露出されている状態で排出するための設定がなされている場合には、複数の記録紙Ｐのうち最後に第１排出トレイ７に排出される記録紙Ｐを、透かし防止画像を形成するための記録紙Ｐとして決定する。これによって、複数の記録紙Ｐが第１排出トレイ７に重ねて排出されている場合に、印刷面の反対側から原稿画像が見えやすい状態となっている記録紙Ｐのみに透かし防止画像が形成されるので、原稿画像を透かし防止画像を用いて確実に秘匿しつつ、トナーの消費量を抑えることができる。
【００８６】
また上記実施の形態によれば、制御部１０は、操作部１６を介して、シフト排出指示をさらに受付けている場合に、部数ごとに、各部において最後に第１排出トレイ７に排出される記録紙Ｐを、透かし防止画像を形成するための記録媒体として決定し、画像形成部１２等に、決定された記録紙Ｐの裏面において、他の記録紙Ｐと重ならない部分として予め定められている部分に、透かし防止画像を形成させる。これによって、部数ごとに向きが変更された状態で印刷物が第１排出トレイ７に排出されている場合に、印刷面の反対側から原稿画像が見えやすい状態となっている部分のみに透かし防止画像が形成されるので、原稿画像を透かし防止画像を用いて確実に秘匿しつつ、トナーの消費量をさらに抑えることができる。
【００８７】
また上記実施の形態によれば、制御部１０は、検出部１７によって検出された色温度の値と照明色情報とに基づいて決定された照明色に対応付けられている推奨パターンをＨＤＤ１８から読出し、読出された推奨パターンを用いて構成されている透かし防止画像を、決定された記録紙Ｐの裏面に形成させる。これによって、画像形成装置１の周囲の照明色に応じた適切な透かし防止画像が形成されるので、原稿画像を透かし防止画像を用いてより一層確実に秘匿しつつ、トナーの消費量を効率よく抑えることができる。
【００８８】
また上記実施の形態によれば、制御部１０は、表示部１５に、読出された推奨パターンを表示させ、操作部１６を介して、表示されている推奨パターンを使用するための指示を受付けると、読出された推奨パターンを用いて構成されている透かし防止画像を、決定された記録紙Ｐの裏面に形成させる。制御部１０は、操作部１６を介して、標準パターンを使用するための指示を受付けた場合、標準パターンを用いて構成されている透かし防止画像を、決定された記録紙Ｐの裏面に形成させる。これによって、ユーザーは、例えば、画像形成装置１が設置されていない部屋において印刷物を使用する予定がある場合等、印刷物の用途に応じて適切な透かし防止画像を選択して形成させることができるので、ユーザーの利便性が向上する。
【００８９】
（その他の変形例）
上記実施の形態では、制御部１０は、給紙部１４及び第１搬送機構１９に、予め定められる単位としての「部数」ごとにシフト排出処理を実行させたが、本発明はそのような実施の形態に限定されない。例えば、制御部１０は、給紙部１４及び第１搬送機構１９に、予め定められる単位としての「頁」ごとにシフト排出処理を実行させてもよい。
【００９０】
また上記実施の形態では、制御部１０は、記録紙Ｐにおける長手方向の向きを部数ごとに変更することによって、シフト排出処理を実行したが、本発明はそのような実施の形態に限定されない。例えば、画像形成装置１が、複数の排出トレイを備えており、制御部１０は、記録紙Ｐを部数ごとに当該複数の排出トレイのそれぞれに仕分けて排出することによって、シフト排出処理を実行してもよい。この場合、ステップＳ２４において、制御部１０は、ＨＤＤ１８に記憶されている印刷頁についての設定内容を「全頁」から「最終頁のみ」に変更し、印刷範囲についての設定内容は「全面」のまま変更しない。
【００９１】
また上記実施の形態では、制御部１０は、コピー機能を実行する際に、上記
画像形成処理を実行したが、本発明はそのような実施の形態に限定されない。例えば、制御部１０は、情報処理装置２４等から通信部２３を介して送信されてくる画像データに基づいて原稿画像の形成を行なうプリンター機能の実行時において、当該画像形成処理を実行してもよい。この場合、制御部１０は、ステップＳ１１の処理を実行することなく、ステップＳ１２からステップＳ２４までの処理を実行する。
【００９２】
また上記実施の形態では、制御部１０は、透かし防止処理として、記録紙Ｐの裏面に透かし防止画像を形成するための処理のみを実行したが、本発明はそのような実施の形態に限定されない。例えば、透かし防止処理として、さらに、原稿画像の印字濃度を薄くするための処理を実行してもよい。この場合、制御部１０は、照明色が電球色である場合に、印字濃度を予め定められている第１濃度とし、照明色が昼白色である場合に、印字濃度を第１濃度よりも薄い第２濃度とし、照明色が昼光色である場合に、印字濃度を第２濃度よりも薄い第３３とするように構成されていてもよい。
【００９３】
また上記実施形態では、制御部１０は、給紙部１４及び第１搬送機構１９に、記録紙Ｐにおける長手方向の向きを部数ごとに９０度変更させることによってシフト排出処理を実行したが、本発明はそのような実施の形態に限定されない。例えば、制御部１０は、給紙部１４及び第１搬送機構１９に、記録紙Ｐの排出方向の位置を部数ごとにずらして記録紙Ｐを排出させることによってシフト排出処理を実行してもよい。この場合においても、各部の印刷物において最後に排出される記録紙Ｐの裏面における、直後に排出される部の印刷物に含まれている記録紙と重ならない部分が、透かし防止画像の印刷範囲として予め定められている。なお、最終部の印刷物については、最後に排出される記録紙Ｐの全面が、透かし防止画像の印刷範囲として予め定められている。
【００９４】
また上記実施の形態では、画像形成部１２等は、記録紙に画像を形成したが、本発明はそのような実施の形態に限定されない。画像形成部１２等は、記録紙に限らず、他の記録媒体に画像を形成してもよい。他の記録媒体としては、例えば、ＯＨＰ（Overhead Projector）シートを例示できる。
【００９５】
本発明は上記実施の形態の構成に限られず種々の変形が可能である。例えば、上記実施形態では、本発明に係る画像形成装置としてカラー複合機を用いているが、これは一例に過ぎず、画像形成装置として、モノクロ複合機、プリンター、コピー機、又はファクシミリ装置等を用いてもよい。
【００９６】
図１乃至図７を用いて示した上記実施形態の構成及び処理は、本発明の一実施形態に過ぎず、本発明を当該構成及び処理に限定する趣旨ではない。
【符号の説明】
【００９７】
１  画像形成装置
７  第１排出トレイ
１０  制御部
１２  画像形成部
１４  給紙部
１５  表示部
１６  操作部
１７  検出部
１８  ＨＤＤ
１９  第１搬送機構
３２０  紙綴じ部
【図１】
2020198531.tif 000003
【図２】
2020198531.tif 000004
【図３】
2020198531.tif 000005
【図４Ａ】
2020198531.tif 000006
【図４Ｂ】
2020198531.tif 000007
【図５】
2020198531.tif 000008
【図６】
2020198531.tif 000009
【図７】
2020198531.tif 000010